(57)【要約】【課題】電動機の特性変化時にモータトルクが向上して、レイアウトに関する不利を解消し得るようにした電動機を提供する。【解決手段】高回転から低回転への移行で誘起電圧の抑制が不要になったとき、補助磁石列11,12を(a)の位置に上昇させる。このとき、補助磁束β1は磁気抵抗を低下させて磁気飽和を緩和する向きに切り替わり、補助磁束β2は界磁磁束αに対し順方向のものとなる向きに切り替わるため、界磁磁束αを強めて電動機の出力を増大させることができる。よって低回転時は、磁気抵抗が小さく、効率の良い大きな出力で電動機を動作させることができ、電動機がレイアウト的に不利になることがない。【選択図】図２
2010183652.tif 000002
【特許請求の範囲】
【請求項１】
電機子鉄心およびこれに巻き付けた電機子巻線より成る電機子と、界磁鉄心に極性の異なる永久磁石を交互に設けて成る界磁子とで構成され、これら電機子および界磁子間に閉路状に形成された界磁磁束により駆動される電動機において、
前記電機子および界磁子との共働により少なくとも2個の閉路状補助磁束を発生する補助磁石を設け、
これら補助磁束のうち、一の補助磁束が磁気抵抗を低下させて磁気飽和を緩和すると共に他の補助磁束が前記界磁磁束に対し順方向のものとなるような第1状態と、前記一の補助磁束が磁気抵抗を増大させて磁気飽和し易くすると共に前記他の補助磁束が前記界磁磁束に対し逆方向のものとなるような第2状態との間で、前記補助磁石を状態変化させるよう構成したことを特徴とする可変特性電動機。
【請求項２】
請求項1に記載の可変特性電動機において、
前記界磁子上の主磁石を二列1組とし、前記補助磁石も二列1組とし、これら補助磁石列を一体的に主磁石列間で変位させて、前記第1状態または第2状態を得るよう構成したことを特徴とする可変特性電動機。
【請求項３】
請求項2に記載の可変特性電動機において、
前記主磁石は、前記界磁子鉄心に埋め込み配置し、前記補助磁石は表面配置したものであることを特徴とする可変特性電動機。
【発明の詳細な説明】
【技術分野】
【０００１】
本発明は、電機子鉄心およびこれに巻き付けた電機子巻線より成る電機子と、界磁鉄心に極性の異なる永久磁石を交互に設けて成る界磁子とで構成され、これら電機子および界磁子間に閉路状に形成された界磁磁束により駆動される回転モータやリニヤモータなどの電動機に関し、特に動作特性を可変にした可変特性電動機に関するものである。
【背景技術】
【０００２】
この種可変特性電動機としては従来、例えば特許文献1に記載のようなものが知られている。
この可変特性電動機は、高速回転時に顕著となる誘起電圧を低減させるため、高速回転時に磁路を磁性材プレートにより短絡させて上記の界磁磁束を低減させるようになし、これにより、高回転時の誘起電圧を抑制し得るようにしたものである。
【先行技術文献】
【特許文献】
【０００３】
【特許文献１】特開２００１−３１４０５３号公報
【発明の概要】
【発明が解決しようとする課題】
【０００４】
しかし、上記の磁気的な短絡を行うための磁性材プレートは、上記した界磁磁束の低減作用を行うだけで、モータトルクの増大に何ら寄与しないため、レイアウト的に不利になるという問題があった。
【０００５】
本発明は、電動機の特性を変化させるとき、併せてモータトルクを向上させ得るような可変特性電動機を提案し、
これにより上記従来のレイアウトに関する不利を解消し得るようになすことを目的とする。
【課題を解決するための手段】
【０００６】
この目的のため、本発明による可変特性電動機は、請求項１に記載のごとく、
電機子鉄心およびこれに巻き付けた電機子巻線より成る電機子と、界磁鉄心に極性の異なる永久磁石を交互に設けて成る界磁子とで構成され、これら電機子および界磁子間に閉路状に形成された界磁磁束により駆動される電動機において、
前記電機子および界磁子との共働により少なくとも2個の閉路状補助磁束を発生する補助磁石を設け、
これら補助磁束のうち、一の補助磁束が磁気抵抗を低下させて磁気飽和を緩和すると共に他の補助磁束が前記界磁磁束に対し順方向のものとなるような第1状態と、前記一の補助磁束が磁気抵抗を増大させて磁気飽和し易くすると共に前記他の補助磁束が前記界磁磁束に対し逆方向のものとなるような第2状態との間で、前記補助磁石を変位させ得るよう構成したことを特徴とするものである。
【発明の効果】
【０００７】
かかる本発明の可変特性電動機によれば、
高速駆動から低速駆動への移行で誘起電圧の抑制が不要となって、そのための特性変更用に補助磁石を第2状態から第1状態へ状態変化させるとき、
前記他の補助磁束が界磁磁束に対し逆方向から順方向へと切り替わることで、界磁磁束を補助磁束分だけ増大させることとなり、
かかる界磁磁束の増大で電動機の出力を増大させ得て、電動機がレイアウト的に不利になることがなく、前記した従来の電動機が抱えていた問題を解消することができる。
【図面の簡単な説明】
【０００８】
【図１】本発明の第1実施例になる可変特性電動機を示す斜視図である。
【図２】同実施例になる可変特性電動機の低回転時における状態を示し、  (a)は、その電機子を除去して示す平面図、  (b)は、その縦断正面図である。
【図３】同実施例になる可変特性電動機の高回転時における状態を示し、  (a)は、その電機子を除去して示す平面図、  (b)は、その縦断正面図である。
【図４】同実施例になる可変特性電動機の低回転時における磁束の説明図である。
【図５】同実施例になる可変特性電動機の高回転時における磁束の説明図である。
【図６】図1〜3の可変特性電動機における主磁石列および補助磁石列の配列状態に係わる変形例を示す縦断正面図である。
【図７】主磁石列および補助磁石列の配列状態と、それによって得られる界磁磁束の大きさとの関係を示す特性線図である。
【図８】本発明の第2実施例になる可変特性電動機の縦断正面図である。
【図９】回転電動機として構成した本発明の第3実施例になる可変特性電動機の縦断正面図である。
【図１０】回転電動機として構成した本発明の第4実施例になる可変特性電動機の要部縦断側面図である。
【図１１】同実施例になる可変特性電動機の要部斜視図である。
【図１２】回転電動機として構成した本発明の第5実施例になる可変特性電動機の要部斜視図である。
【図１３】回転電動機として構成した本発明の第6実施例になる可変特性電動機の要部斜視図である。
【図１４】本発明の第7実施例になる可変特性電動機を示し、  (a)は、その低回転時における状態を示す縦断正面図、  (b)は、その高回転時における状態を示す縦断正面図である。
【図１５】図14に示した可変特性電動機の変形例を示し、  (a)は、その低回転時における状態を示す縦断正面図、  (b)は、その高回転時における状態を示す縦断正面図である。
【発明を実施するための形態】
【０００９】
以下、本発明の実施の形態を、図示の実施例に基づき詳細に説明する。
＜第1実施例の構成＞
図1は、リニアモータまたは回転電機として構成可能な本発明の第1実施例になる可変特性電動機の斜視図で、図2,3はそれぞれ、図1の可変特性電動機の低回転時における状態および高回転時における状態を示す。
図1に示すように、本実施例の可変特性電動機を固定の電機子1および可動の界磁子2で構成する。
【００１０】
電機子1は、図2(b)および図3(b)に示すコ字状の電機子鉄心3を図1のごとく電動機駆動方向に配列して固設し、各電機子鉄心3に電機子巻線4を巻き付けて構成する。
界磁子2は、二列1組の永久磁石列5,6を具え、これら永久磁石列5,6をそれぞれ図2(a)および図3(a)に示すごとく、N極の主磁石5a,6aとS極の主磁石5b,6bとの交互配列により構成する。
この交互配列に際しては、N極の主磁石5aとS極の主磁石6bとが相互に向かい合い、S極の主磁石5b とN極の主磁石6aとが相互に向かい合うよう配列する。
【００１１】
主磁石5a,5bの交互配列方向、および主磁石6a,6bの交互配列方向はそれぞれ、コ字状電機子鉄心3の配列方向に同じとする。
図2(b)および図3(b)に示すごとく、主磁石5a,5bの交互配列になる永久磁石列5は、コ字状電機子鉄心3の一方の脚部列に所定のエアギャップを持たせて対向配置し、界磁鉄心7に取着する。
また同じく図2(b)および図3(b)に示すように、主磁石6a,6bの交互配列になる永久磁石列6は、コ字状電機子鉄心3の他方の脚部列に所定のエアギャップを持たせて対向配置し、界磁鉄心8に取着する。
【００１２】
図2(a),(b)および図3(a),(b)に示すごとく、上記の配置としたことで永久磁石列5,6間に生じた隙間に補助磁石列11,12を設ける。
補助磁石列11は、図2(a)および図3(a)に示すごとく、N極の永久磁石11aとS極の永久磁石11bとの交互配列により構成する。
補助磁石列12も、同じく図2(a)および図3(a)に示すごとく、N極の永久磁石12aとS極の永久磁石12bとの交互配列により構成する。
【００１３】
補助磁石11a,11b,12a,12bはそれぞれ、主磁石11a,11b,12a,12bと同方向に配列して、共通な鉄心ロッド13に取着する。
この鉄心ロッド13は、補助磁石列11,12を伴い永久磁石列5,6間の隙間内で、永久磁石列5,6に対し相対的にストローク可能とし、
図2(a)に示す低回転用の第1位置（第1状態）と、図3(a)に示す高回転用の第2位置（第2状態）との間で位置切り替え（状態変化）されるものとする。
【００１４】
なお、図2(a)に示す低回転用の第1位置（第1状態）では、N極の補助磁石11a,12aがN極の主磁石5a,6aに対向すると共に、S極の補助磁石11b,12bがS極の主磁石5b,6bに対向するものとし、
図3(a)に示す高回転用の第2位置（第2状態）では、N極の補助磁石11a,12aがS極の主磁石5b,6bに対向すると共に、S極の補助磁石11b,12bがN極の主磁石5a,6aに対向するものとする。
【００１５】
＜第1実施例の作用＞
上記した第1実施例になる可変特性電動機の作用を以下に説明する。
本実施例においては、電機子1の巻線3への通電により、電機子1および界磁子2間に図2(b)、図3(b)および図4,5に示すごとく閉路状の界磁磁束αが発生し、これにより界磁子2が駆動される。
【００１６】
ところで高回転時は、誘起電圧が大きくなって電動機の効率が低下することから、この誘起電圧が低減された特性で電動機を動作させる必要があり、
他方で低回転時は誘起電圧が大きくならないことから、この誘起電圧を低減させる必要がなくて、磁気抵抗の小さな特性で電動機を動作させるのが良い。
【００１７】
よって、低回転時は補助磁石列11,12を図2(a)に示す低回転用の第1位置（第1状態）にし、N極の補助磁石11a,12aがN極の主磁石5a,6aに対向すると共に、S極の補助磁石11b,12bがS極の主磁石5b,6bに対向するようになす。
これにより補助磁石列11,12は、電機子1および界磁子2との共働により、図2(b)および図4に示すごとく2個の閉路状補助磁束β1,β2を発生する。
【００１８】
これら補助磁束β1,β2のうち、一方の補助磁束β1は磁気抵抗を低下させて磁気飽和を緩和し、他方の補助磁束β2は図2(b)および図4に示すように、上記界磁磁束αに対し順方向のものとなり、図4に示すごとく界磁磁束αを強めて電動機の出力を増大させることができる。
以上により低回転時は、磁気抵抗が小さく、効率の良い大きな出力で電動機を動作させることができ、電動機がレイアウト的に不利になることがなく、前記した従来の電動機が抱えていた問題を解消することができる。
【００１９】
高回転時は補助磁石列11,12を図3(a)に示す高回転用の第2位置（第2状態）にし、N極の補助磁石11a,12aがS極の主磁石5b,6bに対向すると共に、S極の補助磁石11b,12bがN極の主磁石5a,6aに対向するようになす。
これにより補助磁石列11,12は、電機子1および界磁子2との共働により、図3(b)および図5に示すごとく2個の閉路状補助磁束β3,β4を発生する。
【００２０】
これら補助磁束β3,β4のうち、一方の補助磁束β3は磁気抵抗を増大させて磁気飽和し易くし、他方の補助磁束β4は図5に示すごとく界磁磁束αに対し逆方向のものとなって界磁磁束αを弱め、電動機の出力を低下させることができる。
以上により高回転時は、磁気抵抗の大きな低出力特性で電動機を動作させることとなり、当該高回転時に大きくなる誘起電圧を抑制して、電動機の効率が低下するのを回避することができる。
【００２１】
＜界磁子の変形例＞
ここで、上記した可変特性電動機における界磁子2の変形例について、図6を参照しつつ以下に詳述するに、
界磁子鉄心7,8に対する主磁石列5,6の配置は、主磁石列5,6を界磁子鉄心7,8から露出することのないよう界磁子鉄心7,8内に埋め込む型式の埋め込み配置とし、
鉄心ロッド13に対する補助磁石列11,12の配置は、補助磁石列11,12が鉄心ロッド13から露出するよう鉄心ロッド13に対し取着する表面配置とする。
【００２２】
かように、主磁石列5,6を界磁子鉄心7,8に埋め込み配置し、補助磁石列11,12を鉄心ロッド13に表面配置した理由は以下の通りである。
図7において、A1は、主磁石列5,6を同図の直下に図示するごとく界磁子鉄心7,8に表面配置し、補助磁石列11,12を設けなかった（低回転時と高回転時とで特性を可変にしなかった）場合における界磁磁束の大きさΨを示す。
【００２３】
またB1,B2はそれぞれ、主磁石列5,6を同図の直下に図示するごとく界磁子鉄心7,8に表面配置し、補助磁石列11,12も同図の直下に図示するごとく鉄心ロッド13に表面配置した場合において、低回転させる時の界磁磁束の大きさΨ、および高回転させる時の界磁磁束の大きさΨを示す。
【００２４】
更にB3,B4はそれぞれ、主磁石列5,6を同図の直下に図示するごとく界磁子鉄心7,8に埋設配置し、補助磁石列11,12も同図の直下に図示するごとく鉄心ロッド13に埋設配置した場合において、低回転させる時の界磁磁束の大きさΨ、および高回転させる時の界磁磁束の大きさΨを示す。
【００２５】
そしてB5,B6はそれぞれ、主磁石列5,6を同図の直下に図示するごとく界磁子鉄心7,8に埋設配置し、補助磁石列11,12を同図の直下に図示するごとく鉄心ロッド13に表面配置した場合において、低回転させる時の界磁磁束の大きさΨ、および高回転させる時の界磁磁束の大きさΨを示す。
【００２６】
B1〜B6の比較から明らかなように、B5,B6の性能が得られる、主磁石列5,6の埋設配置と、補助磁石列11,12の表面配置との組み合わせによれば、A1性能からの界磁磁束増加代が最も大きく、また低回転時と高回転時との間における特性変化代も最大になって、前記した作用効果を最も顕著に奏し得る。
【００２７】
この観点から第1実施例においては、図6につき前述した通り、界磁子鉄心7,8に対する主磁石列5,6の配置は、主磁石列5,6を界磁子鉄心7,8から露出することのないよう界磁子鉄心7,8内に埋め込む型式の埋め込み配置とし、
鉄心ロッド13に対する補助磁石列11,12の配置は、補助磁石列11,12が鉄心ロッド13から露出するよう鉄心ロッド13に対し取着する表面配置とするのがよい。
【００２８】
＜第2実施例＞
図8は、本発明の第2実施例を示し、本実施例では補助磁石11,12の一部を、界磁子2の鉄心により鍔状の梁で係止する。
かかる補助磁石11,12の一部係止によれば、補助磁石11,12が飛散するのを防止することができる。
【００２９】
＜第3実施例＞
図9は、本発明の第3実施例になる可変特性電動機を示し、本実施例はこの可変特性電動機を可変特性回転電機として構成したものである。
このため、電機子1を円筒状のステータとして構成し、界磁子2を円形のロータとして構成し、円形ロータ（界磁子）2を円筒ステータ（電機子）1内に同心に配置して、この円筒ステータ（電機子）1内に回転自在に支持する。
なおこの場合、主磁石列5,6による磁路は回転軸線に直角な面内に形成される。
【００３０】
＜第4実施例＞
図10および図11は、本発明の第4実施例になる可変特性電動機を示し、本実施例もこの可変特性電動機を可変特性回転電機として構成したものである。
ただし電機子1は、電機子鉄心3を図11に明示するごとく円周方向に配列し、これら電機子鉄心3に電機子巻線4を巻き付けた、円筒状ステータとして構成する。
【００３１】
界磁子2は図11に示すように円形のロータとして構成するが、図10に示すごとく主磁石列5,6を軸線方向に並置し、これら主磁石列5,6間に補助磁石列11,12を円周方向相対変位可能に介在させた構成とする。
かかる円形ロータ（界磁子）2を図10に示すとおり、円筒ステータ（電機子）1内に同心に配置して、この円筒ステータ（電機子）1内に回転自在に支持する。
なおこの場合、主磁石列5,6による磁路は回転軸線を含む面内に形成される。
【００３２】
＜第5実施例＞
図12は、本発明の第5実施例になる可変特性電動機を示し、本実施例においては、基本的に図10,11の第4実施例と同様な構成とするが、
界磁子2の主磁石列5,6を成す永久磁石5a,5b間、および6a,6b間に（図12では、永久磁石6a,6bのみが見えている）、磁路を遮断する隙間21を設定する。
なおこの隙間21に、非磁性部材を設けてもよい。
【００３３】
かかる本実施例の構成によれば、永久磁石5a,5b間、および6a,6b間の磁束漏れを低減して、磁束効率を高めることができる。
【００３４】
＜第6実施例＞
図13は、本発明の第6実施例になる可変特性電動機を示し、本実施例においては、基本的に図12の第5実施例と同様な構成とするが、
主磁石列5,6間に補助磁石列11,12を円周方向相対変位可能に介在させ、この補助磁石列11,12の位置を低回転時と高回転時とで切り替えることで、前記した実施例と同様な作用効果が得られるようにする。
【００３５】
＜第7実施例＞
図14は、本発明の第7実施例になる可変特性電動機を示し、本実施例においては、基本的に図1〜3の第1実施例と同様に構成するが、
界磁子2の主磁石列5,6間に設ける補助磁石列を、第1実施例のように永久磁石列11,12で構成する代わりに、電磁石31で構成する。
【００３６】
かかる構成によれば、図14(a)の低回転時と同図(b)の高回転時とで電磁石31に流れる電流の方向を逆転させることにより前記第1状態および第2状態間での状態変化を行わせることができ、前記したと同様な特性変更作用が得られる。
従って、電磁石31を変位させる必要がなく、これを主磁石列5,6に一体化させることができて、構成の簡易化を図ることができる。
【００３７】
なおこの場合、図15に示すごとく電磁石31の中心を空洞32とするのが良い。
かかる空心電磁石31によれば、図15(a)の低回転時と同図(b)の高回転時とで電磁石31に流れる電流の方向を逆転させることにより得られる上記の特性変更作用を一層確実なものとなし得る。
【符号の説明】
【００３８】
1  電機子
2  界磁子
3  電機子鉄心
4  電機子巻線
5,6  主磁石列
5a,6a  N極永久磁石
5b,6b  S極永久磁石
7,8  界磁鉄心
11,12  補助磁石列
11a,12a  N極永久磁石
11b,12b  S極永久磁石
13  鉄心ロッド
21  空隙
31  電磁石
32  空洞
【図１】
2010183652.tif 000003
【図２】
2010183652.tif 000004
【図３】
2010183652.tif 000005
【図４】
2010183652.tif 000006
【図５】
2010183652.tif 000007
【図６】
2010183652.tif 000008
【図７】
2010183652.tif 000009
【図８】
2010183652.tif 000010
【図９】
2010183652.tif 000011
【図１０】
2010183652.tif 000012
【図１１】
2010183652.tif 000013
【図１２】
2010183652.tif 000014
【図１３】
2010183652.tif 000015
【図１４】
2010183652.tif 000016
【図１５】
2010183652.tif 000017